(57)【要約】  内燃機関の一体形ピストンのための冷却チャネルカバーであって、ピストンは、ピストンリングバンドのレベルにおいてピストンクラウンの内側に沿って延びた閉鎖された冷却チャネルと、ピストンリングバンドとピストンシャフトとの間に設けられた環状の凹所とを有しており、ピストンシャフトが、ピストンクラウンに懸吊されたピストンハブと結合されており、このようなピストンにおいて、容易に組み立てられる冷却チャネルカバーが、プラスチック又はばね鋼から形成された断面がＵ字形の一体形のリングによって達成される。
2007507652.tif 000002
【特許請求の範囲】
【請求項１】
内燃機関の一体形ピストンのための冷却チャネルカバーにおいて、ピストンリングバンドのレベルにおいてピストンのピストンクラウンの内部領域に沿って延びた閉鎖された冷却チャネルと、ピストンリングバンドとピストンシャフトの間に設けられた環状の凹所とを有しており、ピストンシャフトが、ピストンクラウンに懸吊されたピストンハブと結合されており、前記カバーが、断面がＵ字形の、プラスチック又はばね鋼から形成された一体形のリングから成ることを特徴とする、内燃機関の一体形ピストンのための冷却チャネルカバー。
【請求項２】
前記Ｕ字形のリングが、ポリフェニレンスルフィド（ＰＰＳ）又はポリイミド（ＰＩ）から成る、請求項１記載の冷却チャネルカバー。
【請求項３】
プラスチックリングが、リング底部と、該リング底部に成形された、半径方向外向きに傾斜させられた、カバーの円周に沿って設けられた外側シャンクと、半径方向内向きに傾斜させられた、カバーの円周に沿って設けられた内側シャンクとを有しており、前記シャンクが半径方向に変形するようになっており、これにより、前記リングがピストンに取り付けられた場合に冷却チャネルを閉鎖するために、シャンクが、実質的にバイアス無しに、冷却チャネルの内縁部に形成された冷却チャネルの円錐形の凹所に係合し、リング底部が冷却チャネルを閉鎖する、請求項１記載の冷却チャネルカバー。
【請求項４】
リング底部の近くに延びたスリットが、半径方向外側のシャンクと半径方向内側のシャンクとに形成されており、前記スリットが、種々異なるリッジ長さ（Ｌ）を有する複数のシャンクを生ぜしめるために、円周に亘って不均一に分配されている、請求項３記載の冷却チャネルカバー。
【請求項５】
前記スリットが２〜３ｍｍの幅を有しており、リッジ長さが１５〜２０ｍｍである、請求項４記載の冷却チャネルカバー。
【請求項６】
開口幅が形成されるようにＵ字形のリングが半径方向で分割されており、前記開口幅が、冷却チャネルのための冷却オイル入口又は冷却オイル出口を形成している、請求項１記載の冷却チャネルカバー。
【請求項７】
内燃機関の一体形ピストンにおいて、
ピストンクラウンと、
ピストンリングバンドのレベルにおいてピストンクラウンの内部領域に沿って延びた閉鎖された冷却チャネルと、
ピストンクラウンにおけるピストンハブを介してピストンクラウンと結合されたピストンシャフトと、
ピストンリングバンドとピストンシャフトとの間に設けられた環状の凹所と、
プラスチック又はばね鋼から成る断面がＵ字形の一体形のリングから成る、冷却チャネルをカバーするための冷却チャネルカバーとを有することを特徴とする、内燃機関の一体形ピストン。
【請求項８】
前記Ｕ字形のリングがポリフェニレンスルフィド（ＰＰＳ）又はポリイミド（ＰＩ）又は炭素ばね鋼から形成されている、請求項７記載のピストン。
【請求項９】
プラスチックリングが、リング底部と、リング底部に成形された、半径方向外向きに傾斜させられた、リングの円周に沿って設けられた外側シャンクと、半径方向内向きに傾斜させられた、リングの円周に沿って設けられた内側シャンクとを有しており、シャンクが半径方向に変形させられるようになっており、これにより、冷却チャネルを閉鎖するために、シャンクが、実質的にバイアスなしに、冷却チャネルの内縁部に形成された冷却チャネルの円錐形の凹所に係合し、リング底部が冷却チャネルを閉鎖する、請求項７記載のピストン。
【請求項１０】
リング底部の近くに延びたスリットが、半径方向外側のシャンク及び半径方向内側のシャンクに形成されており、種々異なるリッジ長さ（Ｌ）を有する複数のシャンクを生ぜしめるためにスリットが円周に亘って不均一に分配されている、請求項９記載のピストン。
【請求項１１】
スリットが２〜３ｍｍの幅を有しており、リッジ長さが１５〜２０ｍｍである、請求項１０記載のピストン。
【請求項１２】
Ｕ字形のリングが、開口幅が形成されるように半径方向で分割されており、前記開口幅が、冷却チャネルのための冷却オイル入口又は冷却オイル出口を形成している、請求項７記載の冷却チャネルカバー。
【発明の詳細な説明】
【技術分野】
【０００１】
本発明は、内燃機関の一体形ピストンのための冷却チャネルカバーに関し、ピストンは、ピストンリングバンドのレベルにおいて、ピストンクラウンの内周に沿って延びた閉鎖された冷却チャネルと、ピストンリングバンドとピストンシャフトとの間に設けられた環状の凹所とを有する。ピストンシャフトは、ピストンクラウンに懸吊されたハブを介してピストンクラウンと結合されている。
【０００２】
従来技術
ピストンヘッドの縁部領域に配置された冷却チャネルを有する、マルチパート冷却ピストンがドイツ連邦共和国特許出願公開第４０３９７５１号明細書に記載されており、このチャネルは、実質的にカップスプリングのように構成された薄板金リングでカバーされている。この薄板金リングは、一片で構成されており、ピストンは２つの部分から構成されているのでピストンに容易に組み付けられることができる。これに関して、上側ピストン部分が下側ピストン部分に結合される前に薄板金リングを上側ピストン部分にまず組み付けることが必要である。
【０００３】
さらに、ピストンは、ドイツ民主共和国特許出願公開第２５２６３８号明細書及びドイツ連邦共和国第４１３４５３０号明細書に記載されており、この場合、底部へ開放した冷却チャネルをカバーし、リング状に円周に沿って延びた壁部は、開放薄板金リングとして構成されており、このリングは、溝において、ピストンリングゾーンの内周に対して、及び燃焼室壁部の外周に対して、Seegerリング原理による塑性変形を利用して、すなわち半径方向にバイアスされて、それぞれ当接している。
【０００４】
さらに、ドイツ連邦共和国特許第４２０８０３７号明細書に記載された冷却チャネルを有するマルチパートピストンにおいて、底部へ開放した冷却チャネルはバイアスされたカップスプリングによってカバーされており、カップスプリングは、円周において少なくとも２つの部分に分割されており、軸方向では向き合った側に対して、半径方向では内側と外側において、自由に支持体に当接している。
【０００５】
最後に、ピストンヘッドの縁部領域に配置された冷却チャネルを有する一体形冷却チャネルピストンは、欧州特許第０５６１８７１号明細書及び欧州特許第０７９９３７３号明細書から公知であり、チャネルは、カップスプリングのように構成されたカバーリング、又はカップスプリングのように構成されておりかつカラーが設けられたカバーリングによって閉鎖されている。
【０００６】
これに関して、前記実施形態の欠点は、カバーリング又はカップスプリングが、組み立てられることができるために、２つの部分に構成されなければならないということである。さらに、組立て時に、２つの半円形のリング半部のそれぞれは個々にピストンクラウンにおける対応する支持部内に、バイアスされた状態で導入されなければならない。
【０００７】
発明の概要
したがって、本発明は、内燃機関の一体形ピストンのための冷却チャネルカバーを提供することに基づき、このカバーは、簡単かつ迅速に装着されることができ、従来技術と比べてピストン重量を低減することができる。
【０００８】
この課題は、断面がＵ字形に形成された、ポリフェニレンスルフィド（ＰＰＳ）又は高温ポリイミド（ＰＩ）から形成された一体形プラスチック又はばね鋼リングによって達成される。特に、Ｕ字形リングは、リング底部と、リング底部に成形された、半径方向外向きに傾斜させられた、リングの円周に沿った外側シャンクと、半径方向内向きに傾斜させられた、リングの内周に沿った内側シャンクとを有している。両シャンクは半径方向変形を生じ、冷却チャネルを閉鎖するために、シャンクが、実質的にバイアスなしに、シャンクが冷却チャネルの内側縁部に形成された冷却チャネルの円錐形凹所に係合し、これにより、リング底部が冷却チャネルを閉鎖する。
【０００９】
好適な実施形態において、リング底部の近くに延びたスリットは、半径方向外側のシャンク及び半径方向内側のシャンクに形成されている。スリットは、種々異なるリッジ長さ（Ｌ）を有する複数のシャンクを形成するために、円周に亘って不均一に分配されている。
【００１０】
好適には、Ｕ字形のリングは半径方向で分割されており、これにより、冷却チャネルのための冷却オイル入口又は冷却オイル出口を形成するために開口幅が形成されている。
【００１１】
図面の簡単な説明
本発明のその他の目的及び特徴は、添付図面に関連した以下の詳細な説明から明らかになるであろう。しかしながら、図面は単なる例として示されているのであって、発明の範囲を規定するものとして示されているわけではない。
【００１２】
図面において、同一の参照符号は複数の図面を通じて同じエレメントを表す。
【００１３】
図１は、２つの半部から成る、断面図で示された本発明によるＵ字形のリングによって閉鎖された冷却チャネルを有する、内燃機関のための一体形ピストンを示しており、９０゜ずらされた、ピストンの２つの縦断面を示している。
【００１４】
図２は、９０゜回転させられた、図１のピストンを示している。
【００１５】
図３は、図１の細部Ｘによるピストンの部分詳細図を示している。
【００１６】
図４は、Ｕ字形のリングの上面図を示している。
【００１７】
図５は、図４によるＵ字形リングの、Ａ−Ａ線に沿った断面図を示している。
【００１８】
図６は、図４によるＵ字形リングの、Ｂ−Ｂ線に沿った断面図を示している。
【００１９】
好適な実施形態の詳細な説明
ここで図面を参照すると、図１は、内燃機関のための一体形に形成されたピストン１を、半分に分けられた断面図で示している。左半分は、ピストンの長手方向軸線に沿った、ピストン１の断面図を示している。右半分は、左半分から９０゜ずらされた、ピストン１の長手方向軸線を示している。
【００２０】
ピストン１は鋼から形成されており、ピストンクラウン９を有している。ピストンクラウン９は、ピストンリングバンド７と、燃焼空間凹所５を有するピストンヘッド４とを有している。ピストンシャフト１０は、ピストンクラウン９に懸吊されたピストンハブ３に結合されている。ピストンリングバンド７のレベルにおいて、リング状に円周に沿って延びた、閉鎖された冷却チャネル６が、ピストンクラウン９に配置されている。冷却チャネルの半径方向外側の境界と、半径方向内側の境界とは、ピストンヘッド４に成形されたリング壁部と、ピストンハブ３が懸吊されたピストンクラウン領域とによって規定されている。冷却チャネルの内側は、リング壁部側において凹所１４．２を、ピストンクラウン側において凹所１４．１を有している。冷却チャネルの壁部領域は、軸方向で、ピストンヘッド４に向かって円錐状に狭まった形状を成している。それぞれの例において、傾斜は、ピストンの軸線２．１と、凹所壁部の傾斜との間の角度によって決定され、この角度は約３０゜である。凹所１４．１及び１４．２は、段部１５．１及び１５．２によって制限されており、それぞれの例において、この段部も、ピストンシャフト１０に向かって円錐状に狭まった形状を形成している。この形状の前記の規定された角度は、約２０〜３０゜である。
【００２１】
ピストンリングバンド７とピストンシャフト１０との間に環状の凹所１１が設けられており、この凹所を通じて、断面がＵ字形の一体形のプラスチック／ばね鋼リング８によって冷却チャネル６の閉鎖のための組立てが行われる。本発明によれば、この目的のために、熱可塑性プラスチック、特に、ポリフェニレンスルフィド（短縮形：ＰＰＳ）、例えばRyton R4 （Ｒ） 、又は、例えば、DuPont社のVESPEL （Ｒ） 又はMitsui Chemicals Inc. のAURUM （Ｒ） 等の、高温ポリイミド（短縮形：ＰＩ）が使用されることもできる。短縮形は、１９９７年の国際規格ＩＳＯ１０４３−１に対応する。このようなプラスチックは、長期動作において２００〜４００゜超の高温、すなわち熱に対する耐性を特徴とする。さらに、プラスチックは繊維強化されていることもできる。ばね鋼は、ＣＲ75等の標準的な炭素鋼であることができる。焼戻しは選択的である。
【００２２】
図４によれば、Ｕ字形のプラスチックリング８は、リング底部８．３から傾斜した半径方向外側のシャンク８．１と、傾斜した半径方向内側のシャンク８．２とを有している。これらのシャンクは、組立てを単純にするために、円周に亘って不均一に分配されたスリット１３によって分割されているので、種々異なる長さのシャンクセグメントＬが形成されている。スリットは、プラスチックリング８の底部８．３まで形成されており、僅かにＶ字形を有しており、２〜３ｍｍのスリット幅を有している。前記の半径方向のスリット形成は、好適には１５〜２５゜の角度範囲ごとにリングの円周に亘って分配されている。
【００２３】
図６の断面図に示したように、外側のシャンク８．１は、リング底部８．３の外周に配置されており、リング底部８．３から、ピストンの横方向軸線２．２に関して半径方向外向きに傾斜させられている。内側のシャンク８．２は、半径方向内向きに傾斜させられており、ピストン底部８．３の内周に配置されている。
【００２４】
図４から分かるように、開口幅Ｍを備えた開放部１７が形成されるように、Ｕ字形のプラスチックリング８は半径方向で分割されている。この開放部に対して１８０゜の方向で向き合って、ほぼ同じ幅を有するＵ字形の開放部１６が設けられている。両方の開放部１６，１７は、リング８の組み立てられた状態において、冷却チャネル６にオイルを供給するために、それぞれオイル入口及びオイル出口として働く。
【００２５】
リング８の組立ては簡単に行うことができ、リングは、凹所１１の軸方向高さに対応するレベルまで、その平面から、その側部の半分において弾性的に曲げられ、凹所に導入され、ピストンクラウン９に懸吊されたハブ領域に押し被せ嵌められる。この仮の組立て状態では、リングのリング底部８．３がピストンヘッド４に向けられている。
【００２６】
冷却チャネル６を閉鎖するために、リング８は続いて段部１５．１及び１５．２に押し込まれ、シャンク８．１及び８．２が凹所１４．１及び１４．２に当接する。シャンクの面は段部において支持される。この状態において、リング底部８．３は冷却チャネル６を閉鎖する。円周に配置されることができる、円周において突出した、外側シャンク８．１と向き合った、図示されていない冷却チャネルにおける１つ又は２つの凹所と係合する、１つ又は２つの突出部１３．１は、Ｕ字形のリングが所定の位置から回転することを阻止する。
【００２７】
したがって、本発明の幾つかの実施形態だけが示され説明されているが、本発明の精神及び範囲から逸脱することなく多くの変更が加えられることが明らかである。
【図面の簡単な説明】
【００２８】
【図１】２つの半部から成る、断面図で示された本発明によるＵ字形のリングによって閉鎖された冷却チャネルを有する、内燃機関のための一体形ピストンを示しており、９０゜ずらされた、ピストンの２つの縦断面を示している。
【図２】９０゜回転させられた、図１に示されたピストンを示している。
【図３】図１の細部Ａによるピストンの部分詳細図を示している。
【図４】Ｕ字形のリングの上面図を示している。
【図５】図４によるＵ字形リングの、Ｖ−Ｖ線に沿った断面図を示している。
【図６】図４によるＵ字形リングの、ＶＩ−ＶＩ線に沿った断面図を示している。
【符号の説明】
【００２９】
１  ピストン、  ２．１  長手方向ピストン軸線、  ２．２  横方向ピストン軸線、  ３  ハブ、  ４  ピストンヘッド、  ５  燃焼空間凹所、  ６  冷却チャネル、  ７  ピストンリングバンド、  ８  Ｕ字形のリング、  ８．１  外側シャンク、  ８．２  内側シャンク、  ８．３  リング底部、  ９  ピストンクラウン、  １０  シャフト、  １１  リング状凹所、  １２  フィルムヒンジ、  １２．１  半径方向外側のシャンクのフィルムヒンジ、  １２．２  半径方向内側のシャンクのフィルムヒンジ、  １３  スリット、  １３．１  突出部、  １４．１，１４．２  円周凹所、  １５．１，１５．２  段部、  １６  冷却オイル入口、  １７  冷却オイル出口、  Ｄ  第２の半径方向分割部、  Ｅ  位置平面、  Ｌ  リッジ長さ、  Ｍ  開口幅
【図１】
2007507652.tif 000003
【図２】
2007507652.tif 000004
【図３】
2007507652.tif 000005
【図４】
2007507652.tif 000006
【図５】
2007507652.tif 000007
【図６】
2007507652.tif 000008
【国際調査報告】
2007507652.tif 000009
2007507652.tif 000010
2007507652.tif 000011